(57)【要約】      （修正有）【課題】１節の梯柱素子を接続器で締付けて連結し、水平な踏板を取り付けたのを１単位として、多数の単位を継ぎ合わせた使用、携帯、収納共に便利な繰出し、展開、折畳み自在の構造持つ繰出し梯子の開発。【解決手段】複数の梯柱素子と、複数の水平な踏板と、複数の締付金具とからなり、梯柱素子は各各管径の異なる中空梯管であり、これを互いに挿入して継ぎ合わせ、各各の中空梯管の上端部にはキャップと接続器を取り付け、接続器の１端に踏板を締付器具で取り付けた繰出し、折畳み自在な繰出し梯子を提供した。【選択図】図３
0003141331.tif 000002
【実用新案登録請求の範囲】
【請求項１】
折畳み自在な梯子であって、複数の梯柱素子と、複数の水平な踏板と、複数の締付器具とからなり、前記梯柱素子は各各管径の異なる中空の梯管であり、これを互いに挿入して接続し、各中空梯管の上端部にはキャップと接続器が取り付けてあり、前記接続器の一端に前記踏板を前記締付器具で、水平に締付けている繰出し梯子。
【請求項２】
前記キャップと前記梯管は、前記接続器にバインダーで結合されている、請求項１に記載の繰出し梯子。
【請求項３】
前記キャップの内外環状壁面上には粘液流道が形成されていて、前記中空の梯管を前記接続器に粘着するための、液状バインダーを注入できるようにした、請求項１に記載の繰出し梯子。
【請求項４】
前記キャップの内外壁面に形成されに粘液流道は、互いに相通ずる、請求項１に記載の繰出し梯子。
【請求項５】
前記中空の梯管上端の局部には環状嵌構が開設されていて、前記キャップの対応する位置に形成された内フランジと嵌合する、請求項１に記載の繰出し梯子。
【請求項６】
前記中空の梯管上端の局部には更に、半球状のテノンが形成されていて、前記キャップの対応する位置に開設されたほぞ穴と嵌合する、請求項１に記載の繰出し梯子。
【請求項７】
前記キャップには伸縮縫がある、請求項１に記載の繰出し梯子。
【請求項８】
前記接続器には１つの前記キャップを覆う締付輪と、前記締付輪の径方向に伸設した２つの平行な接合板とを含み、また１つの止め穴が前記締付輪の前記平行な接合板の間の輪周縁に開設されている、請求項１に記載の繰出し梯子。
【請求項９】
前記締付器具は錠門と、心棒と、ばねと、触動杆とからなり、前記錠門前端の両側は嵌止端を形成し、前記接続器の接合板を拘束し、また前記錠門後端には１本のばねを収容する槽部があり、前記ばねの１端は前記心棒に抵接し、前記心棒の中段は心軸として、前記触動杆を差し込んで、これを前後に移動させる、請求項１に記載の繰出し梯子。
【請求項１０】
前記中空梯管の下端にはやや円筒状のバッファーが設けられていて、その上端にある止め爪で前記梯管の止め穴と嵌合し、その下端の外周は止め座金で前記梯管の内部と接触させて適当な摩擦力を保持して、バッファーの効果を上げ、操作中の騒音を防止する、請求項１に記載の繰出し梯子。
【請求項１１】
前記バッファーの内部には、表面に穴を開けた膠膜が設けられていて、空気が進出できる、請求項１０に記載の繰出し梯子。
【考案の詳細な説明】
【技術分野】
【０００１】
本考案は構造が堅固、確実、安全、組立容易な繰出し梯子に関する。
【背景技術】
【０００２】
梯子は建築工事における足場同様?高所作業に不可欠な設備である。
【０００３】
図１に示す通常の梯子８００は２本の梯柱を組み合せたもので、梯柱の下端には足当をはかせて滑りを防ぎ、両柱の間には適当な間隔を置いて、水平な踏板取り付けて使用に供する。その外観はＡ字形をなしている。
【０００４】
このような従来使用されてきた梯子は全体として大き過ぎ、携帯上不便である。また、使用後の収納にも場所を取るものである。
【０００５】
このような従来の梯子の欠点を改善せんがため、不断の研鑽の結果、本願の考案者は、この特殊な構造と優点を持つ繰出し梯子を開発したのである。
【考案の開示】
【考案が解決しようとする課題】
【０００６】
１節の梯柱素子を接続器で締付けて連結し、水平な踏板を取り付けたのを１単位として、多数の単位を継ぎ合わせた使用、携帯、収納共に便利な繰出し、折畳み自在の構造を持つ繰出し梯子の提供が、本考案の目的である。
【課題を解決するための手段】
【０００７】
上記の目的を達成せんがため、本考案では複数の梯柱素子と、複数の水平な踏板と、複数の締付器具とからなり、梯柱素子は各各管径の異なる中空梯管であり、これを互いに挿入して継ぎ、各各の中空梯管の上端部にはキャップと接続器が取り付けてあり、接続器の１端に踏板を締付器具で水平に締付けている、折畳み自在な繰出し梯子を提供した。
【０００８】
また、キャップと梯管は接続器にバインダーで結合されている。 
【０００９】
また、キャップの内外環状壁面上には、互いに相通する液状バインダーの粘液通道を開設した。
【００１０】
なお、本考案に係る繰出し梯子のその他の特徴、優点や応用に関しては、明細書に添付した図面を参考にして、以下説明する実施例を詳読していただきたい。
【考案を実施するための最良の形態】
【００１１】
本考案に係る繰出し梯子１の折畳み状態と、展開状態をそれぞれ、図２と図３に示す。梯子１は複数の梯柱素子２、複数の水平な踏板３と、複数の締付器具とからなる。管径の相異なる梯柱素子２の中空梯管を互いに挿入、接続して引き伸ばせば、高々とした繰出し梯子１となり、各梯管を引き込ませれば、折り畳んで梯子１は縮小した状態となる。
【００１２】
図４と図５に示したように梯柱素子２は、中空の梯管２１と、キャップ２２と、接続器２３とからなる。中空な梯管２１は、その占める位置が高くなる程、その管径は小さくなる。梯管２１の頂端には環状嵌溝２１１と、半球場のテノン２１２と、ほぞ穴２１３とがあり、下端には通孔２１４が開設されている。中空梯管２１の頂端は各各、環状のキャップ２２に覆われ、その外側に接続器２３が取り付けられている。キャップ２２が梯管２１の環状嵌溝２１１、テノン２１２と、容孔２１３とに対応する位置には内フランジ２２１、ほぞ穴２２２と伸縮縫２２３が形成され、キャップ２２の底部には、外に突出した外フランジ２２４が形成され、またその内外壁面には、粘液流道２２５と２２６とが、それぞれ開設されており、両流道２２５、２２６間は貫通孔２２７で相通している。また、キャップ２２の頂端には内側に伸張した内環縁部２２８が形成さている（図６参照）。
【００１３】
接続器２３には１つのキャップ２２を覆う締付輪２３１と、締付輪２３１の径方向に伸設した２つの平行な接合板２３２とを含み、締付輪２３１の管壁には液状バインダーを注入する注入孔２３３があり、締付輪２３１の両接合板２３２の間にある周?には止め穴２３４が開設されている。
【００１４】
締付器具４は錠門４１、心棒４２、ばね４３と触動杆４４とからなり、錠門４１前端の両側は嵌子端４１１を形成して、接続器２３の接合板２３２を拘束する。また錠門４１の後端には、ばね４３を収容する槽部があり、ばね４３の１端は心棒４２の１端抵接し、このばね４３の１端は接続器２３の止め穴２３４に対応している。心棒４２の中段は心軸４２１として、差し込んだ触動杆４４は触動される。触動杆４４はその下端の嵌止軸４４１を錠門４１の凹槽４１２にはめ込み、嵌止軸４４１を中心に触動杆４４は回動するのである。
【００１５】
水平な踏板３は締付器具４の外側に取り付けられ、その下端には通孔３１が開設されて、触動杆４４がここから伸出する。
【００１６】
中空の梯管２１の下端には、やや円筒状を呈したバッファー５が設けられていて、その上端にある止め爪５１で梯管２１の止め穴５２と嵌合し、その下端の外周は止め座金５３で梯管２１の内部と接触させ、適当な摩擦力を保持して、バッファー５の効能を上げ、また操作中の騒音を防止するのである。図６に示すように、バッファー５の内部には表面に穴を開けた膠模５４が設けられていて、バッファー５が梯管２１と一緒に上下移動するとき、空気が穴から出入できるようにして、バッファー５の作用の効能を上げるのである。
【００１７】
組立てが完成したら図に示すように、梯管２１の底部にあるバッファー５と止め座金５３の共同作用により、内外梯管の昇降による管壁間の接触摩擦が適当に緩和される。梯管２１の頂端覆うキャップ２２と、梯管２１と、接続器２３との接続は、粘液流道２２５、２２６に注入された液状バインダーにて堅固に粘着固定され、組立て後の梯子は極めて安全である。締付器具４はその全体が完全に踏板３に包まれているので、外物の侵入による破坏が防せげ、取り扱いも便利である。
【００１８】
繰出して使用する際、内側の中空梯管の下段に開設された通孔２１４に、外側の梯管の心棒４２を挿入し固定する。心棒４２を引き抜けば内側の梯管は下降して、折畳み状態となるのである。
【００１９】
以下説明の便宜上、異なる符号で部品を表示する。折畳みする場合図７に示すように、第１段の踏板６１の触動杆６２を時計方向に回転し、心棒６３を止め穴と第２層梯管６４の通孔から引き抜けば、第２層梯管６４は支持を失ない、第２段の踏板６５と共に落下する。第２段の踏板６５が落下して、その下端に取り付けた触動杆６６が、第１段の踏板６１と接触したとき、触動杆６６は触動されて時計方向回転し、締付器具の心棒６７は止め穴から抜けて、第３層の梯管６８と第３段の踏板６９は共に落下する。このように順を追って動作し、繰出し梯子の梯柱素子と踏板の全部が折畳まれるのである。
【００２０】
以上述べたように本考案に係る繰出し梯子は、確かに従来の梯子の欠点を改善し、締付器具を始め、その他、巧みに構成された色々な部品を活用して繰出し、折畳み自在で、便利かつ安全に使用できるものである。
【００２１】
本考案は、本考案の技術的思想から逸脱することなく、他の種々の形態で実施することができる。上述の実施例はあくまでも、本考案の技術内容を明らかにするだけのものであって、そのような具体例のみに限定して、本考案を狭義に解釈するべきではなく、本考案の精神と実用新案登録請求の範囲内で、色々と変更して実施することができるものである。
【図面の簡単な説明】
【００２２】
【図１】従来の折畳み式梯子の立体図である。
【図２】本考案に係る繰出し梯子の折畳んだ状態を示す立体図である。
【図３】本考案に係る繰出し梯子の展開した状態を示す立体図である。
【図４】本考案に係る繰出し梯子の梯柱素子と水平な踏板の分解図である。
【図５】本考案に係る繰出し梯子の踏板を梯柱素子に取り付けた立体図である。
【図６】本考案に係る繰出し梯子の踏板を梯柱素子に取り付けた断面図である。
【図７】本考案に係る繰出し梯子の組み立て操作を示す説明図である。
【符号の説明】
【００２３】
１：繰出し梯子
２：梯柱素子
３：水平な踏板
４：締付器具
２１：中空の梯管
２２：キャップ
２３：接続器
２１１：環状嵌溝
２１２：半球状テノン
２１３：ほぞ穴
２１４：通孔
２２１：内フランジ
２２２：ほぞ穴
２２３：伸縮縫
２２４：外フランジ
２２５、２２６：粘液流道
２２７：貫通孔
２２８：内環縁部
２３１：締付輪
２３２：接合板
２３３：注入孔
２３４：止め穴
４１：錠門
４２：心棒
４３：ばね
４４：触動杆
４２１：心軸
４４１：嵌止軸
４１２： 凹槽
３１： 通孔
５：バッファー
５１：止め爪
５２：止め穴
５３：止め座金
５４：膠模
６１：第１段の踏板
６２：触動杆
６３：心棒
６４：第２層梯管
６５：第２段の踏板
６６：触動杆
６７：心棒
６８：第３層梯管
６９：第３段の踏板
８００：梯柱
【図１】
0003141331.tif 000003
【図２】
0003141331.tif 000004
【図３】
0003141331.tif 000005
【図４】
0003141331.tif 000006
【図５】
0003141331.tif 000007
【図６】
0003141331.tif 000008
【図７】
0003141331.tif 000009